【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
無線送信器（１，４）において、
当該無線送信器は、少なくとも
−  連続信号（sFMTx(t)）を形成する信号発生器（SGEN1）と、
−  送信信号（sTx(t)）を送出するアンテナ（ANT1）とを有しており、
−  前記の送信信号発生器（SGEN1）の少なくとも１つの出力側は、前記のアンテナ（ANT1）の少なくとも１つの入力側に接続されている形式の無線送信器において、
−  前記の送信信号発生器（SGEN1）とアンテナ（ANT1）とは、これらの間に接続された遮断ユニット（SW1）を介して接続されており、ここで該遮断ユニットにより、送信信号発生器（SGEN1）とアンテナ（ANT1）との間の信号接続が選択的に遮断または保持され、
−  当該の信号接続の選択的な遮断および保持は、前記の遮断ユニット（SW1）により、当該遮断ユニット（SW1）に外部から加えられる切換信号（ssw(t)）を用いて行われ、
−  前記の信号接続の選択的な遮断および保持は、遮断ユニット（SW1）により、少なくとも区分的に規則的な間隔で行われ、パルス周期の持続時間は、前記の送信信号発生器（SGEN1）によって形成される連続信号の周波数変調の持続時間よりも短いことを特徴とする
無線送信器。
【請求項２】
前記の送信信号発生器（SGEN1）によって形成される連続信号は、少なくとも区分的に線形に周波数変調された信号（sFMTx(t)）である、
請求項１に記載の無線送信器（１，４）。
【請求項３】
前記のパルス周期の持続時間は、前記の送信信号発生器（SGEN1）によって形成される連続信号の周波数変調の持続時間よりも、少なくとも１０倍短い、
請求項２に記載の無線送信器（１，４）。
【請求項４】
前記の連続信号（sFMTx(t)）を形成する信号発生器（SGEN1）および前記の信号接続を選択的に遮断および保持する遮断ユニット（SW1）は、それぞれクロック信号（ssw(t)）によって駆動制御され、
前記の送信信号発生器（SGEN1）および遮断ユニット（SW1）は、前記の駆動制御ためにデジタル電子装置（DIGE1）に接続されており、
− 前記無線送信器（１，４）は、クロック発生器（ＣＬＫ１）を有しており、該クロック発生器より、形成したクロック信号が前記のデジタル電子装置（DIGE1）に送出され、
− 当該のデジタル電子装置（DIGE1）により、前記の送信信号発生器（SGEN1）に入力するための導出された第１クロック信号と、前記の遮断ユニット（SW1）に入力するための導出された第２クロック信号（ssw(t)）とが形成され、
− 前記の送信信号発生器（SGEN1）により、前記の導出された第１のクロック信号に基づいて、前記の連続信号（sFMTx(t)）が形成されて、当該連続信号が遮断ユニット（SW1）に入力され、
− 当該の遮断ユニット（SW1）により、前記の導出された第２のクロック信号（ssw(t)）に基づいて、前記の送信信号発生器（SGEN1）とアンテナ（ANT1）との間の信号接続が選択的に遮断および保持される、
請求項１から３までのいずれか1項に記載の無線送信器（１，４）。
【請求項５】
無線受信器（２，３，４）であって、無線送信器のパルス状の周波数変調された無線信号（sRx(t)）を受信するため、パルス周期の持続時間は、前記の送信信号発生器（SGEN1）によって形成される連続信号の周波数変調の持続時間よりも短く、
前記無線受信器（２，３，４）を構成して、該無線受信器により、パルス状の周波数変調された無線信号（sRx(t)）から、対応するスペクトル線の少なくとも１つの対（f1k，f2k）が抽出されるようにしたことを特徴とする、
請求項１から４までのいずれか１項に記載の無線受信器（２，３，４）。
【請求項６】
前記の無線受信器を構成して、該無線受信器により、対応するスペクトル線対（f1k，f2k）から周波数のずれおよび／または時間のずれが決定されるようにした、
請求項５に記載の無線受信器（２，３，４）。
【請求項７】
前記の無線受信器を構成して、該無線受信器により、前記の計算した周波数のずれおよび／または時間のずれに基づいて、前記の周波数変調されたパルス状の無線信号（sRx(t)）を送信した無線送信器（１，４）のクロックに同期化されるようにした、
請求項６に記載の無線受信器（２，３，４）。
【請求項８】
無線送信／受信システムにおいて、
該無線送信／受信システムは、請求項１から４までのいずれか１項に記載の少なくとも１つの無線送信器（１，４）と、当該の無線送信器（１，４）から送出された信号を受信する、請求項５から７までのいずれか１項に記載の少なくとも１つの無線受信器（２，３，４）とを有するを特徴とする
無線送信／受信システム。
【請求項９】
前記の無線送信器（１，４）および無線受信器（２，３，４）は、共通のクロックベースを供給する同じクロック源（CLK1）を有する、
請求項８に記載の無線送信／受信システム（４）。
【請求項１０】
少なくとも１つの無線送信器と少なくとも１つの受信器とを、または無線送信／受信システム（４）を同期化するため、
− 前記の無線送信器（１，４）により、連続信号（sFMTx(t)）から、アンテナ（ANT1）に至る信号接続が選択的に遮断および保持されることにより、当該のアンテナ（ANT1）を介してパルス状の無線信号（sTx(t)）が放射され、
− 前記の無線受信器（２，３，４）により、受信したパルス状の無線信号（sRx(t)）から、対応するスペクトル線の少なくとも１つの対（f1k，f2k)が抽出され、ここから周波数のずれおよび／または時間のずれが決定され、これに基づいて前記の無線受信器（２，３，４）が、前記の無線送信器（１，４）のクロックに同期化される、
請求項８または９に記載の無線送信／受信システム（４）。
【請求項１１】
応答装置との距離測定をするための、
請求項９または１０に記載の無線送信／受信システム。
【請求項１２】
前記の応答装置は、トラスポンダの距離測定および／または位置決定するために、請求項８から１１までのいずれか１項に記載の第２の無線送信／受信システム（４）を含むトランスポンダとして実施されており、
− 前記の無線送信器（１，４）により、連続信号（sFMTx(t)）から、アンテナ（ANT1）に至る信号接続を選択的に遮断および保持することにより、当該のアンテナ（ANT1）を介してパルス状の無線信号（sTx(t)）が前記のトランスポンダの方向に放射され、
− 前記のトランスポンダ（５）により、当該の信号が変調されて前記の無線受信器（４）に向かって反射され、
− 前記の無線受信器（４）により、受信したパルス状の無線信号（sRx(t)）から、少なくとも１つのスペクトル線（f1k,f2k)が抽出され、ここからトランスポンダ（５）の距離および／または位置が決定され、これに基づいて前記の無線受信器が、前記の無線送信器（１，４）のクロックに同期化される、
請求項１１に記載の無線送信／受信システム。
【請求項１３】
無線受信器（２，３，４）であって、
該無線受信器は、請求項８から１２までのいずれか１項に記載の無線送信／受信システムの装置に使用され、
該無線受信器は、少なくとも１つのミキサ（ＭＩＸ）を有しており、
当該のミキサは、受信信号と、混合信号（sFMTx(t), sFMTx(t)）とを混合して、同期化または距離測定のために測定信号（smd(t)）を形成し、
前記の混合信号は、送信信号発生器（SGEN1）の信号と同じ変調を有するか、または、送信信号発生器（SGEN1）の信号を基準にした時間のずれ（Δｔ）および／または周波数のずれ（Δｆ）を備えた変調を有する、
請求項５から７までのいずれか1項に記載の無線受信器（２，３，４）。
【請求項１４】
請求項１から５までのいずれか１項に記載にされた無線送信器（１，４）の送信信号（sTx(t)）を形成し、および／または請求項５から７または請求項１３のいずれか１項に記載された無線受信器（２，３，４）の測定信号（smd(t)）を評価する方法において、
− 前記の無線送信器（１，４）の信号接続の遮断および保持を実行して、前記の受信器（２，３，４）の測定信号（smd(t)）における当該の信号接続が、実際のサンプラによる時間離散化になるようにし、
− 前記の信号接続の遮断および保持を実行して、前記の信号接続の遮断および保持のパルス周期の持続時間が、連続信号（sFMTx(t)）の周波数変調の持続時間よりも短くなるようにし、
− 請求項５から７または請求項１３のいずれか１項に記載の無線受信器（２，３，４）の測定信号（smd(t)）を形成および評価するために、前記の信号接続の遮断および保持を遮断ユニット（SW1）によって時間的に行って実行して、前記の測定信号（smd(t)）に対してサンプリング定理が満たされるようにし、
前記のサンプリング周波数を少なくとも前記の測定信号の帯域幅の２倍に選択し、前記の信号接続を保持する持続時間を、前記の測定信号に発生する最大周波数の逆数よりもファクタ４よりも短くすることを特徴とする、
無線送信器（１，４）の測定信号（smd(t)）を形成しおよび／または無線受信器（２，３，４）の測定信号（smd(t)）を評価する方法。
【請求項１５】
少なくとも１つの無線送信器（１，４）と、少なくとも１つの無線受信器（２，３，４）とを同期化するため、前記の無線送信器のうちの少なくとも１つには、連続信号（sFMTx(t)）を形成する少なくとも１つの信号発生器（SGEN1）と、送信信号（sTx(t)）を送出するアンテナ（ANT1）とが含まれており、
−  前記の無線送信器（１，４）により、連続信号（sFMTx(t)）から、アンテナ（ANT1）に至る信号接続を選択的に遮断および保持することにより、当該のアンテナ（ANT1）を介してパルス状の無線信号（sTx(t)）を放射し、
−  前記の無線受信器（２，３，４）により、受信したパルス状の無線信号（sRx(t)）から、対応するスペクトル線の少なくとも１つの対（f1k，f2k)を抽出し、ここから周波数のずれおよび／または時間のずれを決定し、これに基づいて前記の無線受信器（２，３，４）を前記の無線送信器（１，４）のクロックに同期化する、
請求項１４に記載の方法。
【請求項１６】
請求項１４または１５に記載した方法であって、
無線送信器（１，４）には、連続信号（sFMTx(t)）を形成する少なくとも１つの信号発生器（SGEN1）と、送信信号（sTx(t)）を送出するためのアンテナ（ANT1）とが含まれており、
−  前記の無線送信器（１，４）により、連続信号（sFMTx(t)）から、アンテナ（ANT1）に至る信号接続を選択的に遮断および保持することによって、アンテナ（ANT1）を介してパルス状の無線送信信号（sTx(t)）を前記のトランスポンダ（５）の方向に放射し、
−  前記のトランスポンダ（５）により、当該の無線送信信号（sTx(t)）を変調して無線受信器（４）に向かって反射し、前記の無線受信器（４）により、受信したパルス状の無線信号（sRx(t)）から、少なくとも１つのスペクトル線（f1k, f2k)を抽出し、ここからトランスポンダ（５）の距離および／または位置を決定し、これに基づいて前記の無線受信器を前記の無線送信器（１，４）のクロックに同期化する、
請求項１４または１５に記載の方法。
【請求項１７】
前記のトランスポンダにより、無線送信信号（sTx(t)）を変調して無線受信器（４）に向かって反射する、
請求項１５または１６に記載の方法。
【手続補正２】
【補正対象書類名】明細書
【補正対象項目名】００１４
【補正方法】変更
【補正の内容】
【００１４】
この課題は、請求項１に記載した無線送信器、請求項５に記載した無線受信器、請求項８に記載した無線送信／受信システムならびに請求項１４に記載した方法によって解決される。有利な実施形態は、例えば、従属請求項に個々にまたはその組み合わせで記載されている。
【手続補正３】
【補正対象書類名】明細書
【補正対象項目名】００２７
【補正方法】変更
【補正の内容】
【００２７】
上記の課題はまた、周波数変調されたパルス状の無線信号を受信する無線受信器によって解決され、ここではパルス周期の持続時間は、上記の送信信号発生器によって形成される連続信号の周波数変調の持続時間よりも短く、またこの無線受信器を構成して、この受信器により、周波数変調されたパルス状の受信無線信号から、対応するスペクトル線の少なくとも１つの対が抽出されるようにする。例えば、対応するスペクトル線の対から本発明によって量が計算され、ここでこの量は、周波数変調された連続信号に対する公知の方法を使用できるようにする量である。
【手続補正４】
【補正対象書類名】明細書
【補正対象項目名】００３６
【補正方法】変更
【補正の内容】
【００３６】
上記の課題はまた、無線送信／受信システムを同期化するおよび／または応答装置との距離を測定する少なくとも１つの無線送信／受信システムを有する装置によって解決され、ここでは上記の無線送信器により、連続信号から、アンテナに至る信号接続を選択的に遮断および保持することにより、このアンテナを介してパルス状の無線信号が放射され、上記の無線受信器により、受信したパルス状の無線信号から、対応するスペクトル線の少なくとも１つの対が抽出され、ここから周波数のずれおよび／または時間のずれが決定され、これに基づいて上記の無線受信器が無線送信器のクロックに同期化される。
【手続補正５】
【補正対象書類名】明細書
【補正対象項目名】００４１
【補正方法】変更
【補正の内容】
【００４１】
本発明はまた、無線受信器の測定信号を形成および評価する方法によって解決され、ここでは上記の信号発生器とアンテナとの間の信号接続の遮断および保持を実行して、測定信号におけるこの信号接続が、実際のサンプラによる時間離散化になるようにし、また上記の信号接続の遮断および保持を遮断ユニットによって時間的に行って、上記の測定信号に対してサンプリング定理が満たされるようにする。ここではパルス周期の持続時間は、前記の送信信号発生器によって形成される連続信号の周波数変調の持続時間よりも短い。
【手続補正６】
【補正対象書類名】明細書
【補正対象項目名】００４２
【補正方法】変更
【補正の内容】
【００４２】
このために殊に有利であるのは、上記のサンプリング周波数を少なくとも測定信号の帯域幅の２倍に選択し、また上記の信号接続を保持する持続時間を、上記測定信号に発生する最大周波数の逆数よりもはるかに短く、例えばファクタ４またはファクタ１０よりも短くすることである。